(57)【特許請求の範囲】
【請求項１】
便器本体に形成された便鉢の下流側に連なる便器排水路の排水口と、該便器本体が据え付けられる室内に取り出された排水管の接続口とを連通する排水接続具において、
前記排水口に連結される流入口と、前記接続口に連結される流出口とが設けられた筐体と、該筐体内に配置される内部配管とを備え、
該内部配管は、該流入口に連通する上流口を有し、設置時に下降流路を形成する上流配管と、該上流配管に連結され、該筐体の内側面に沿って開口する下流口を有し、設置時に上昇流路を形成する下流配管とから構成されており、
前記下流口から前記筐体内に流出する洗浄水が筐体の内側面に沿って渦巻きながら前記流出口から前記排水管内に排水されることを特徴とする排水接続具。
【請求項２】
前記筐体の内側面は水平断面が略円形状である請求項１記載の排水接続具。
【請求項３】
前記筐体の内側面は前記流出口に向けた下り傾斜面を有している請求項１又は２記載の排水接続具。
【請求項４】
便器本体に形成された便鉢の下流側に連なる便器排水路の排水口と、該便器本体が据え付けられる室内に取り出された排水管の接続口とを連通する排水接続具において、
上面に前記排水口に連結される流入口が設けられ、下面に前記接続口に連結される流出口が設けられた筐体と、該筐体内に配置される内部配管とを備え、
該内部配管は、該流入口に連通する上流口を有し、設置時に下降流路を形成する上流配管と、該上流配管に連結され、該筐体内に開口する下流口を有し、設置時に上昇流路を形成する下流配管とから構成されており、
前記流入口と前記流出口とは、設置時に上方から見て同心であることを特徴とする排水接続具。
【発明の詳細な説明】
【技術分野】
【０００１】
本発明は排水接続具に関する。
【背景技術】
【０００２】
特許文献１に開示された洋風水洗式便器の便器本体は、便鉢の下流側に連なる便器排水路に溜水部が設けられている。また、この洋風水洗式便器は、便器排水路から空気を吸引する吸気装置を備えている。
【０００３】
この洋風水洗式便器では、便器洗浄が開始され、溜水部に洗浄水が供給されると、溜水部が洗浄水により封水される。これにより、溜水部の上流側の便器排水路に閉鎖空間が形成される。この閉鎖空間の空気を吸気装置により吸引すると、便鉢に供給される洗浄水との相乗効果により早期に便器排水路内を洗浄水で満水にすることができる。このため、サイホン作用を早期、かつ確実に生じさせることができるため、水封部内の汚物をサイホン作用により確実に便鉢内から排出することができる。
【０００４】
【特許文献１】特開閉７−４２２１７号公報
【発明の開示】
【発明が解決しようとする課題】
【０００５】
しかし、上記従来の洋風水洗式便器では、溜水部が形成される便器排水路の外周面が露出しているため、その外周面には結露が生じ易い。このため、便器排水路の外周面に生じた結露が床面に流れ落ち、床面に染み汚れが生じるおそれがある。また、洗浄水が溜水部に流入する際に発生する音が外部に漏れ易く、静音性に欠けるおそれがある。
【０００６】
本発明は、上記従来の実情に鑑みてなされたものであって、使い勝手に優れた水洗式便器を実現することのできる排水接続具を提供することを解決すべき課題としている。
【課題を解決するための手段】
【０００７】
本発明の排水接続具は、便器本体に形成された便鉢の下流側に連なる便器排水路の排水口と、該便器本体が据え付けられる室内に取り出された排水管の接続口とを連通する排水接続具において、
前記排水口に連結される流入口と、前記接続口に連結される流出口とが設けられた筐体と、該筐体内に配置される内部配管とを備え、
該内部配管は、該流入口に連通する上流口を有し、設置時に下降流路を形成する上流配管と、該上流配管に連結され、該筐体の内側面に沿って開口する下流口を有し、設置時に上昇流路を形成する下流配管とから構成されており、
前記下流口から前記筐体内に流出する洗浄水が筐体の内側面に沿って渦巻きながら前記流出口から前記排水管内に排水されることを特徴とする。
【０００８】
この排水接続具では、設置時に内部配管内に溜水部が形成される。内部配管は筐体内に配置されているため、溜水部が形成された内部配管の外周面は外気に曝されず、結露が生じ難い。仮に、内部配管の外周面に結露が生じたとしても、その結露は筐体内に落下し、筐体の流出口から排水管に排水される。このため、結露による床面の染み汚れの発生を防止することができる。また、溜水部に流入する洗浄水により発生する音は、内部配管を覆う筐体により外部に漏れ難いため、静音化を図ることができる。
【０００９】
したがって、本発明の排水接続具は、使い勝手に優れた水洗式便器を実現することができる。
【００１０】
下降流路の最下降部の上端と、上昇流路の最上昇部の下端とは、設置時に同一水平位置又は後者が前者より上方に位置し得る。この場合、内部配管に形成された溜水部は、洗浄水により完全に封水される。このため、溜水部の上流側の内部配管及び便器排水路に、閉鎖空間が形成される。これにより、便器洗浄が行われる際、より早期に便器排水路及び内部配管内を洗浄水で満水にすることができ、サイホン作用をより早期に生じさせることができる。
【００１１】
溜水部の上流側の内部配管及び便器排水路に形成された閉鎖空間の空気を吸引する吸気装置を備えるとよい。この場合、便器洗浄が行われる際、吸気装置により閉鎖空間の空気を吸引することにより、便器排水路及び内部配管内をさらに早期に洗浄水で満水にすることができ、サイホン作用をさらに早期に生じさせることができる。
【００１２】
この排水接続具では、室内に取り出された排水管の下流側で負圧が生じた場合でも、筐体が流出口より広がった内部空間を形成しているため、溜水部への負圧力の影響を弱めることができる。このため、排水管内の負圧により、溜水部の洗浄水が下流側に吸引され難く、溜水部の封水が破壊され難い。よって、溜水部の上流側に形成された閉鎖空間が維持され、サイホン作用を早期、かつ確実に生じさせることができる。
【００１３】
下流口は、筐体の内側面に沿って開口する。この場合、下流口から流出する洗浄水を筐体の内側面に沿わせて流出口から排水させることができる。このため、洗浄水の流水音を小さくすることができる。
【００１４】
筐体の内側面は、水平断面が略円形状であり得る。この場合、下流口から流出した洗浄水は、筐体の内側面に沿わせることにより、渦巻きながら流出口から排水される。このため、洗浄水をよりスムーズに筐体から排水することができる。
【００１５】
筐体の内側面は、流出口に向けた下り傾斜面を有し得る。この場合、洗浄水を流出口から確実に排水することができる。
【００１７】
本発明の他の排水接続具は、便器本体に形成された便鉢の下流側に連なる便器排水路の排水口と、該便器本体が据え付けられる室内に取り出された排水管の接続口とを連通する排水接続具において、
上面に前記排水口に連結される流入口が設けられ、下面に前記接続口に連結される流出口が設けられた筐体と、該筐体内に配置される内部配管とを備え、
該内部配管は、該流入口に連通する上流口を有し、設置時に下降流路を形成する上流配管と、該上流配管に連結され、該筐体内に開口する下流口を有し、設置時に上昇流路を形成する下流配管とから構成されており、
前記流入口と前記流出口とは、設置時に上方から見て同心であることを特徴とする。
この場合、便器排水路の排水口が便器本体の左右中心に設けられ、排水管が便器本体の据え付けられる室内の左右中心に取り出されることにより、便器本体を室内の左右中心に容易に据え付けることができる。
【００１８】
筐体の外側面には、面状ヒーターが貼付され得る。この場合、面状ヒーターによって筐体内を暖めることができるため、内部配管に設けられた溜水部の洗浄水の凍結を防止することができる。
【発明を実施するための最良の形態】
【００２０】
以下、本発明の排水接続具を洋風水洗式便器に具体化した実施例１及び２、参考例１及び２を図面を参照しつつ説明する。
【実施例１】
【００２１】
＜実施例１＞
実施例１の洋風水洗式便器は、図１に示すように、便器本体１と、便器洗浄装置１００と、吸気装置２００とを備えている。便器洗浄装置１００は、水道管に接続され、ストレーナ、定流量弁及び開閉弁を有している。吸気装置２００は、吸引タンク２０１と吸引タンク２０１を駆動する駆動装置２０２とを備えている。なお、便座及び便蓋の図示は省略する。
【００２２】
便器本体１は、便鉢２の上部内周にリム３を有している。また、便器本体１は、洗浄水が貯留される水封部４を有している。便鉢２の下流側に連なる便器排水路５は、便器本体１と一体に形成された上流排水管５Ａにより形成された上昇流路と、上昇流路の最上昇部である上流排水管５Ａの下流端にパッキン５Ｐを介して接続され、便器本体１とは別体に形成された下流排水管５Ｂにより形成された下降流路とから構成されている。便鉢２及び上流排水管５Ａの下面には、便鉢２及び上流排水管５Ａ内に滞留する洗浄水の凍結を防止するための面状ヒーター５０が貼付されている。
【００２３】
下流排水管５Ｂの下流端は、便器排水路５の排水口６を形成している。下流排水管５Ｂは、便器排水路５の最上部より下流側の上面部に垂直上方に延びる連通管７が形成されている。連通管７の上部開口には、パッキン７Ｐを介して吸引タンク２０１の吸引管２０１Ａが挿入され、気密状態に接続される。なお、吸引管２０１Ａの外側面にＯリングを嵌合させ、吸引管２０１Ａを連通管７に挿入し、気密状態に接続してもよい。
【００２４】
排水口６は、排水接続具１０を介して、便器本体１が据え付けられる室内の床面Ｆに取り出された排水管３０の接続口３１に連通される。図１〜図４に示すように、排水接続具１０は、上部筐体１１Ａ及び下部筐体１１Ｂからなる筐体１１と、筐体１１内に配置される内部配管２０とを備えている。
【００２５】
上部筐体１１Ａは、上面から垂直上方に延びる円筒状の第１接続部１３を有している。第１接続部１３の上端は、流入口１２を形成している。第１接続部１３の下部は、上部筐体１１Ａの上面より下方まで延び、中央部に流入口よりも小径の円形状の開口１５が形成されている。この開口１５の周縁下部には、下方に延びる円柱状の垂下壁１６が形成されている。
【００２６】
流入口１２には、パッキン１２Ｐが装着される。パッキン１２Ｐは、下流排水管５Ｂより小径の開口１２Ｋが設けられた円形状の上面１２Ｕと、上面１２Ｕの周縁から下方に延びる胴部１２Ｄとから形成されている。このパッキン１２Ｐの胴部１２Ｄは、内周面に形成され、第１接続部１３の外周面に形成された鍔部１４に係止する凹部を有している。下流排水管５Ｂを排水接続具１０に接続する際には、流入口１２に装着されたパッキン１２Ｐの開口１２Ｋを押し広げるようにして、上方から下流排水管５Ｂを流入口１２に挿入することにより、下流排水管５Ｂを排水接続具１０に容易に接続することができる。
【００２７】
また、上部筐体１１Ａは、上面の周縁から下方に延びる側壁１１Ｃを有している。側壁１１Ｃの内側面は、水平断面が略円形状である。便器本体１の後方側の側壁１１Ｃは、傾斜面１１Ｄとされている。これにより、筐体１１の小型化が図られ、便器本体１の周壁Ｗに囲まれて形成された後部収納空間Ｓ内に吸気装置２００の駆動装置２０２等を容易に収納することができる。
【００２８】
下部筐体１１Ｂは、上部筐体１１Ａの側壁１１Ｃに連続する外壁１１Ｅと、側壁１１Ｃの内側面と面一に形成された内側面を有する内壁１１Ｆとを有している。内壁１１Ｆの下端には、垂直方向に延びる円柱状の第２接続部１７が設けられている。第２接続部１７の下端は、流出口１８を形成している。第２接続部１７は、床面Ｆに取り出された排水管３０の接続口３１に挿入され、排水管３０に接続される。内壁１１Ｆは、流出口１８に向けた下り傾斜面に形成されている。内壁１１Ｆの外側面には、面状ヒーター５１が貼付されている。
【００２９】
図２〜図４に示すように、下部筐体１１Ｂは、左右下端に設けられた切欠き部１１Ｇを有している。床面Ｆに排水接続具１０を固定する際に、この切欠き部１１Ｇを通して、排水接続具１０の流出口１８と排水管３０の接続口３１との連結部分から水漏れ又は臭気の漏れがないかを確認することができる。
【００３０】
また、下部筐体１１Ｂは、下端前方に設けられ、左右方向に延びる取付片１９を有している。取付片１９の左右両端部には、筐体１１を床面Ｆに固定するための木螺子Ｎを挿通することのできる貫通孔１９Ｈが設けられている。また、取付片１９の下面には、下部筐体１１Ｂの外壁１１Ｅ内に連通するスリット１９Ｓが設けられている。これにより、床面Ｆに取り付けられた排水接続具１０を取り外す際、このスリット１９Ｓからのこぎりの刃を挿入し、第２接続部１７を切断することにより、排水管３０から排水接続具１０を切り離すことができる。
【００３１】
図１〜図３に示すように、筐体１１内に配置される内部配管２０は、上端に流入口２１を有し、下降流路を形成する上流配管２２と、上流配管２２に連続して形成され、筐体１１内に開口する下流口２４を有し、上昇流路を形成する下流配管２３とから構成されている。上流配管２２は、上端部が上部筐体１１Ａに設けられた垂下壁１６に連結されている。上流配管２２は、垂下壁１６との連結部より下方で、便器本体１の後方側へ曲り、斜め下方に延びつつ、横方向に徐々に湾曲し、最下降部が形成されている。下流配管２３は、最下降部から便器本体１の前方側へ徐々に湾曲しつつ、斜め上方に延びている。下流配管２３は、先端部に接続され、下流口２４が筐体１１の内側面に沿うとともに、僅かに斜め下方に向けて開口する先端部２３Ａを有している。下流口２４より上流側に上昇流路の最上昇部が形成されている。
【００３２】
図１に示すように、上昇流路の最上昇部の下端２３Ｕは、下降流路の最下降部の上端２２Ｄより上方に位置している。このため、内部配管２０に形成された溜水部Ｒは、洗浄水により封水される。このため、水封部４の下流側の便器排水路５内及び溜水部Ｒの上流側の内部配管内に閉鎖空間が形成される。
【００３３】
図１及び図２に示すように、溜水部Ｒを形成する内部配管２０は、筐体１１内に配置されているため、溜水部Ｒが形成された内部配管２０の外周面は外気に曝されず、結露が生じ難い。仮に、内部配管２０の外周面に結露が生じたとしても、その結露は筐体１１内に落下し、筐体１１の流出口１８から排水管３０内に排水される。このため、結露による床面Ｆの染み汚れを防止することができる。また、溜水部Ｒに流入する洗浄水により発生する音は、内部配管２０を覆う筐体１１により外部に漏れにくいため、静音化を図ることができる。
【００３４】
したがって、実施例１の排水接続具１０は、使い勝手に優れた水洗式便器を実現することができる。
【００３５】
また、上部筐体１１Ａに設けられた流入口１２と、下部筐体１１Ｂに設けられた流出口１８とは、床面Ｆに設置された状態で、上方から見て同心になっている。このため、便器排水路５の排水口６が便器本体１の左右中心に設けられ、排水管３０が便器本体１の据え付けられる室内の左右中心に取り出されることにより、便器本体１を室内の左右中心に容易に据え付けることができる。
【００３６】
また、下部筐体１１Ｂの内壁１１Ｆの外側面に貼付された面状ヒーター５１によって筐体１１内を暖めることができるため、溜水部Ｒの洗浄水の凍結を防止することができる。
【００３７】
さらに、排水管３０の下流側で負圧が生じた場合でも、筐体１１が流出口より広がった内部空間を形成しているため、溜水部Ｒへの負圧力の影響を弱めることができる。このため、排水管３０内の負圧により、溜水部Ｒの洗浄水が下流側に吸引され難く、溜水部Ｒの封水が破壊され難い。よって、溜水部Ｒの上流側に形成された閉鎖空間が維持され、サイホン作用を早期、かつ確実に生じさせることができる。
【００３８】
以上のように構成された洋風水洗式便器の便器洗浄では、便器洗浄装置１００によってリム３に洗浄水が供給される。すると、便鉢２内の洗浄水の水位が上昇する。所定量の洗浄水が供給され、便鉢２内の洗浄水の水位が所定位置になると、吸気装置２００の駆動装置２０２が吸引タンク２０１を駆動する。吸引タンク２０１により、水封部４の下流側及び溜水部Ｒの上流側の閉鎖空間が形成されている便器排水路５から空気が吸引されると、閉鎖空間は洗浄水で満水となり、サイホン作用が早期、かつ確実に発生する。
【００３９】
サイホン作用が発生した後、所定時間、便器洗浄装置１００によってリム３に洗浄水が供給される。所定流量の洗浄水が供給されている間は、サイホン作用が継続し、便鉢２内の汚物が排出される。その後、吸気装置２００の駆動装置２０２が吸引タンク２０１を駆動し、吸引タンク２０１から便器排水路５へ空気を排出する。これによりサイホン作用が終了する。サイホン作用が終了した後、便器本体１の水封部４に洗浄水が供給されて封水が完了される。
【００４０】
この便器洗浄時、内部配管２０の下流口２４から筐体１１内に流出する洗浄水は、筐体１１の内側面に沿って、渦巻きながら流出口１８から排水管３０内に排水される。このため、スムーズに洗浄水を筐体１１から排水することができるため、サイホン作用を継続させることができるとともに、洗浄水の流水音を小さくすることができる。また、下部筐体１１Ｂの内壁１１Ｆは、流出口１８に向けた下り傾斜面に形成されているため、洗浄水を流出口１８から確実に排水することができる。
【実施例２】
【００４１】
＜実施例２＞
実施例２の洋風水洗式便器は、排水接続具の筐体の形状を変更したものである。図５及び図６に示すように、排水接続具６０の筐体６１は、上部筐体６１Ａと下部筐体６１Ｂとからなる。実施例１と同一の構成については、同一の符号を付し詳細な説明を省略する。
【００４２】
上部筐体６１Ａは、上面が円形状であり、上面の周縁から下方に延びる円筒状の側壁６３を有している。側壁６３の内側面は、水平断面が円形状である。下部筐体６１Ｂは、上部筐体６１Ａの側壁６３に連続する側壁６４を有している。また、下部筐体６１Ｂは、側壁６４の下端前方に設けられ、左右方向に延びる一対の取付片６２を有している。各取付片６２には、筐体６１を床面Ｆに固定するための木螺子Ｎを挿通することのできる貫通孔６２Ｈが設けられている。
【００４３】
図６に示すように、下部筐体６１Ｂの側壁６４の内側面には、上下方向の中間部から流出口１８に向けた下り傾斜面６５が形成されている。この傾斜面６５の下端に連続して第２接続部１７が形成されている。
【００４４】
筐体６１内には、溜水部Ｒを形成する内部配管２０が配置されているため、溜水部Ｒが形成された内部配管２０の外周面は外気に曝されず、結露が生じ難い。仮に、内部配管２０の外周面に結露が生じたとしても、その結露は筐体６１内に落下し、筐体６１の流出口１８から排水管３０内に排水される。このため、結露による床面Ｆの染み汚れを防止することができる。また、溜水部Ｒに流入する洗浄水により発生する音は、内部配管２０を覆う筐体６１により外部に漏れにくいため、静音化を図ることができる。
【００４５】
したがって、実施例２の排水接続具６０も、使い勝手に優れた水洗式便器を実現することができる。
【００４６】
また、この筐体６１の内側面は、水平断面が円形状であるため、便器洗浄時、内部配管２０の下流口２４から筐体６１内に流出する洗浄水は、筐体６１の内側面に沿って、渦巻きながら流出口１８から排水管３０内に排水される。このため、スムーズに洗浄水を筐体６１から排水することができ、洗浄水の流水音を小さくすることができる。また、下部筐体６１Ｂには、流出口１８に向けた下り傾斜面６５が形成されているため、洗浄水を流出口１８から確実に排水することができる。
【実施例３】
【００４７】
＜参考例１＞
参考例１の洋風水洗式便器は、排水接続具の筐体の形状を変更したものである。図７及び図８に示すように、排水接続具７０の筐体７１は、上部筐体７１Ａと下部筐体７１Ｂとからなる。実施例１又は実施例２と同一の構成については、同一の符号を付し詳細な説明を省略する。
【００４８】
上部筐体７１Ａは、実施例２の上部筐体６１Ａと同様の構成を有している。下部筐体７１Ｂは、側壁７２に連結され、横方向に延びる横配管７３を有している。横配管７３は、先端に接続され、下方に向いて開口する流出口７５が形成された接続部材７４を有している。流出口７５は、排水管３０の接続口３１に挿入される継手部材７６を介して排水管３０に接続される。
【００４９】
筐体７１内には、溜水部Ｒを形成する内部配管２０が配置されているため、溜水部Ｒが形成された内部配管２０の外周面は外気に曝されず、結露が生じ難い。仮に、内部配管２０の外周面に結露が生じたとしても、その結露は筐体７１内に落下し、筐体７１の流出口７５から排水管３０内に排水される。このため、結露による床面Ｆの染み汚れを防止することができる。また、溜水部Ｒに流入する洗浄水により発生する音は、内部配管２０を覆う筐体７１により外部に漏れにくいため、静音化を図ることができる。
【００５０】
したがって、参考例１の排水接続具７０も、使い勝手に優れた水洗式便器を実現することができる。
【００５１】
また、便器本体を取り換える場合、取り換える前の便器本体の仕様によっては、排水管３０の室内への取り出し位置が相違する。この場合、横配管７３を適宜長さに切断することにより、排水管３０の接続口３１に流出口７５を連結することができるため、便器本体の取り換えを容易に行うことができる。
【実施例４】
【００５２】
＜参考例２＞
参考例２の洋風水洗式便器は、排水接続具の内部配管の形状を変更したものである。図９に示すように、この排水接続具８０の内部配管９０は、下部筐体６１Ｂに設けられた流出口１８に向けて開口する下流口９４を有している。実施例１又は実施例２と同一の構成については、同一の符号を付し詳細な説明は省略する。
【００５３】
内部配管９０は、上端に流入口９１を有し、下降流路を形成する上流配管９２と、上流配管９２に連続して形成される下流配管９３とから構成されている。下流配管９３は、上昇流路と、上昇流路の下流側に連続する下降流路とを形成している。下流配管９３の下端部が、筐体６１の第２接続部１７内に挿入されて配置されているため、内部配管９０の下流口９４は、流出口１８に向けて開口している。
【００５４】
筐体６１内には、溜水部Ｒを形成する内部配管９０が配置されているため、溜水部Ｒが形成された内部配管９０の外周面は外気に曝されず、結露が生じ難い。仮に、内部配管９０の外周面に結露が生じたとしても、その結露は筐体６１内に落下し、筐体６１の流出口１８から排水管３０内に排水される。このため、結露による床面Ｆの染み汚れを防止することができる。また、溜水部Ｒに流入する洗浄水により発生する音は、内部配管２０を覆う筐体７１により外部に漏れにくいため、静音化を図ることができる。
【００５５】
したがって、参考例２の排水接続具８０も、使い勝手に優れた水洗式便器を実現することができる。
【００５６】
また、下流口９４から流出する洗浄水を流出口１８に直接的に排水することができるため、筐体６１内で洗浄水の流水音が生じず、より静音化を図ることができる。
【００５７】
以上において、本発明を実施例１及び２に即して説明したが、本発明は上記実施例に制限されるものではなく、その趣旨を逸脱しない範囲で適宜変更して適用できることはいうまでもない。
【００５８】
例えば、内部配管に形成された溜水部Ｒを封水しなくてもよい。この場合、溜水部Ｒの洗浄水の上方に空気が流通する隙間が形成され、便器洗浄の際、溜水部Ｒに洗浄水が供給されることにより、この隙間が封鎖されることにより、溜水部Ｒの上流側に閉鎖空間が形成されるようにするとよい。
【００５９】
また、便器排水路５から空気を吸引する吸気装置を備えなくてもよい。
【産業上の利用可能性】
【００６０】
本発明は水洗式便器に利用可能である。
【図面の簡単な説明】
【００６１】
【図１】実施例１の洋風水洗式便器の断面図である。
【図２】実施例１の排水接続具の断面図である。
【図３】実施例１の排水接続具の分解図である。
【図４】実施例１の排水接続具の斜視図である。
【図５】実施例２の排水接続具の斜視図である。
【図６】実施例２の排水接続具の断面図である。
【図７】参考例１の洋風水洗式便器の断面図である。
【図８】参考例１の排水接続具の斜視図である。
【図９】参考例２の排水接続具の断面図である。
【符号の説明】
【００６２】
１…便器本体
２…便鉢
５…便器排水路
６…排水口
１０、６０、７０、８０…排水接続具
１１、６１、７１…筐体
１２…流入口
１８、７５、９４…流出口
２０、９０…内部配管
２１、９１…上流口
２２、９２…上流配管
２３、９３…下流配管
２４、９４…下流口
３０…排水管
３１…接続口
【図１】
0005072626.tif 000002
【図２】
0005072626.tif 000003
【図３】
0005072626.tif 000004
【図４】
0005072626.tif 000005
【図５】
0005072626.tif 000006
【図６】
0005072626.tif 000007
【図７】
0005072626.tif 000008
【図８】
0005072626.tif 000009
【図９】
0005072626.tif 000010